(57)【要約】【課題】足に装着して使用している際に皺がよりにくく、破断しにくい足裏及び指間汗取り紙を提供する。【解決手段】足裏の丘の部分に密着する基部２と、この基部２から左右に分離可能な分岐部４を形成し、分岐部４にそれぞれ足の第２指及び第４指をそれぞれ指の根元まで挿入するための穴５ａ，５ｂを形成した第２指挿入部６ａ及び第４指挿入部６ｂとを設け、第２指挿入部６ａ及び第４指挿入部６ｂの各穴５ａ，５ｂの回りにそれぞれ部分的にスリット９を形成するとともに、基部２の幅方向に複数のスリット１０を平行に形成した足裏及び指間汗取り紙。【選択図】図１
2005287682.tif 000002
【特許請求の範囲】
【請求項１】
足裏の丘の部分に密着する基部と、この基部から左右に分離可能な分岐部を形成し、分岐部にそれぞれ足の第２指及び第４指をそれぞれ指の根元まで挿入するための穴を形成した第２指挿入部及び第４指挿入部とを設け、第２指挿入部及び第４指挿入部の各穴の回りにそれぞれ部分的にスリットを形成するとともに、前記基部の幅方向に複数のスリットを平行に形成したことを特徴とする足裏及び指間汗取り紙。
【請求項２】
汗取り紙の表面の一部または紙の間の一部に突起を形成するための塗料層を設けたことを特徴とする請求項１記載の足裏及び指間汗取り紙。
【発明の詳細な説明】
【技術分野】
【０００１】
本発明は、足裏及び指間の汗を取る足裏及び指間汗取り紙であって、汗取り紙使用中に皺がよりにくく、破断しにくい足裏及び指間汗取り紙に関するものである。  
【背景技術】
【０００２】
靴を長時間連続して着用する人は、足の表面や指の間からの発汗で足が蒸れたり、細菌の繁殖で臭いが強くなり、水虫がなかなか直らないことがある。
【０００３】
そこで本出願人は、足の指と指の間がくっつかないように保持するとともに、吸湿を行うことにより、臭いの発生を抑制し、水虫の治癒を促進させることのできる、コストの安い使い捨ての足裏及び指間汗取り紙を提案した（特許文献１参照）。
【０００４】
特許文献１の足裏及び指間汗取り紙は、足の第２指及び第４指を指の根元まで挿入するための指挿入部と、この指挿入部の幅方向の一方に連設された足裏密着部と、この足裏密着部の両側に配置されて指挿入部の両側に端部が連設されている帯状の結束部とよりなり、足裏密着部には、結束部を挿通できる穴を設けたものである。この足裏及び指間汗取り紙によれば、足の指と指の間がくっつかないように保持されることにより、吸湿、消臭、水虫の治癒の促進を図ることができ、また、足裏も同時に吸湿を行うことにより、肌と靴下あるいは素足使用時には肌と靴底のべたつきを防止すると共に臭いの発生を抑制し、肌を清潔に保つと同時に水虫の治癒を促進させることができる。
【特許文献１】特開２００２−５８７０１号公報
【発明の開示】
【発明が解決しようとする課題】
【０００５】
しかしながら、前記足裏及び指間汗取り紙は、使用中に指挿入部周辺が指や足裏の動きにより曲げや引っ張りの力が作用して破断しやすく、また、装着すると足裏及び指間汗取り紙が斜めになって、歩行中に下方からの力で皺ができ、中央部へ皺がよってかたまりになりやすいという欠点があった。
【０００６】
そこで、本発明は、足に装着して使用している際に皺がよりにくく、破断しにくい足裏及び指間汗取り紙を提供するものである。
【課題を解決するための手段】
【０００７】
本発明の足裏及び指間汗取り紙は、足裏の丘の部分に密着する基部と、この基部から左右に分離可能な分岐部を形成し、分岐部にそれぞれ足の第２指及び第４指をそれぞれ指の根元まで挿入するための穴を形成した第２指挿入部及び第４指挿入部とを設け、第２指挿入部及び第４指挿入部の各穴の回りにそれぞれ部分的にスリットを形成するとともに、前記基部の幅方向に複数のスリットを平行に形成したことを特徴とする。
【発明の効果】
【０００８】
本発明においては、基部の幅方向に複数のスリットを平行に形成するとともに、第２指挿入部及び第４指挿入部の各穴の回りにそれぞれ部分的にスリットを形成することにより、指挿入部が破断することがなく、また、皺がよるのを防ぐことができるので、皺が中央部でかたまりになることもない。
【０００９】
また、汗取り紙の表面または紙の間の一部に突起を塗料層で形成することにより、肌と汗取り紙との密着を防止するとともに、滑りにくくすることができ、さらに素材の縮み、皺の発生及び破断を防止することができる。
【発明を実施するための最良の形態】
【００１０】
本発明において、指挿入部の周囲に部分的にスリットを設け、また、基部の幅方向に複数のスリットを平行に形成することにより、曲げや引っ張る力が作用するとスリットが開いて無理な力が作用してもこれを吸収して逃がし、破断をその位置で止めることができ、また皺が形成されるのを防ぐことができる。
【００１１】
本発明において、足裏及び指間汗取り紙（以下「汗取り紙」という。）の素材には、吸湿性と強度に優れたもの、例えば吸湿性に優れた植物系天然素材、セルローズ系の不織布を使用することができるが、汗取り紙の素材としては、これらに限られるものではなく、吸湿性と柔軟性、強度が適している素材を使用することができる。
【００１２】
本発明の汗取り紙を２枚重ねとする場合、紙不織布とポリエステルの不織布とを重ねてもよく、このようにして、吸湿性を高め、強度も強くなるようにしている。また、これにより洗って使用する場合でも皺がよりにくくなる。また、紙不織布とポリエステルの不織布とを２枚重ねした場合、滑り止めのための塗料の印刷がし易くなる。
【００１３】
また、汗取り紙には抗菌剤、消臭剤、水虫治療薬の少なくとも一つを含有させたものとすることにより、抗菌、消臭、水虫菌の殺菌の効果を上げることができる。
【００１４】
また、汗取り紙との密着を防止するとともに、汗取り紙と足裏の滑りを防ぎ、さらに、素材の縮み、皺の発生及び破断の防止を確実にするために、表面あるいは紙の間の適当な箇所に塗料を印刷して塗料層からなる突起を形成してもよい。突起は点状、環状あるいは線条などに形成する。塗料には、顔料、水溶性アクリル樹脂、発泡剤および精製水の混合物などの突起を形成できる材料が適している。
【００１５】
本発明の汗取り紙は、履物とともに使用できるだけでなく、車を運転する際に、運転しにくい履物の場合、履物を脱いで足裏及び指間汗取り紙を装着したままの状態で車のペダルに足を載せて使用することもできる。
【実施例１】
【００１６】
図１は本発明の汗取り紙の一実施例であり、表面を示す平面図、図２はは本発明の汗取り紙を装着した状態を足裏から見た図である。
【００１７】
図１において、汗取り紙１の全体の形状は、汗取り紙１に載せた足裏の丘と指裏に接する形状とする。汗取り紙１は、右足及び左足に共通に使用できるように、左右対称の形状に形成してもよく、あるいは右足及び左足の足裏にそれぞれあわせた別々の形状に形成してもよい。
【００１８】
足裏の丘の部分に密着する基部２から中央部の長手方向に長い穴３を挟んで左右に分岐した分岐部４ａ，４ｂを形成し、分岐部４ａ，４ｂの指側には足の第２指及び第４指を指の根元まで挿入するための第２指挿入穴５ａ、第４指挿入穴５ｂをそれぞれ形成した第２指挿入部６ａ及び第４指挿入部６ｂが設けられている。なお、左右対称の形状の汗取り紙１では第２指挿入部６ａ及び第４指挿入部６ｂは、当然のことながら右足と左足とは逆になる。
【００１９】
第２指挿入穴５ａ、第４指挿入穴５ｂには、指を挿入した際に移動しにくくするため、装着後に指の下に位置する凸辺７を設けてもよい。
【００２０】
第２指挿入部６ａと第４指挿入部６ｂの間は、第２指挿入部６ａ及び第４指挿入部６ｂが分離できるようにカット部８が形成されており、汗取り紙１を装着する人の第２指と第４指の間隔が広くても、カット部８と中央部に形成された長い穴３により第２指挿入部６ａと第４指挿入部６ｂを拡げて足裏の大きさに応じて装着できるようにする。また、基部１から、左右二つ分けた分岐部４を形成することにより、上下左右に動けるようにすることができ、指の並びに関係なく分岐部４は平行になって斜めの装着とならないので、汗取り紙１の中央部に皺かたまりができにくくなる。
【００２１】
第２指挿入部６ａの第２指挿入穴５ａ，第４指挿入部６ｂの第４指挿入穴５ｂの周囲に部分的にスリット９を設ける。また、基部２には、汗取り紙１の幅方向に複数のスリット１０を平行に形成する。曲げや引っ張る力が作用すると、スリット９，１０が開いて無理な力を逃がすので、破断をその位置で止めることができる。破れ易いところは、前もって破って移動しやすくしておいてもよい。
【００２２】
滑り止めのために、汗取り紙１の表面の適当な箇所に塗料を印刷して塗料層からなる突起１１を形成する。
【００２３】
次に、本発明の汗取り紙の使用方法について説明する。
【００２４】
カット部８を切って分岐部４を分離し、汗取り紙１を足の裏に位置させて第２指と第４指を第２指挿入穴５ａと第４挿入穴５ｂへそれぞれ挿入して左右の足に装着し、指の間で汗取り紙１がフィットするように形を整えた後、靴下を履く。カット部８を切って分岐部４を分離することにより、図２に示すように、第２指及び第４指の間隔にあわせて挿入することができる。
【００２５】
曲げや引張り力はスリット９，１０が開くことにより逃がすことができるので、装着中に破断したり、皺がよったりするのを防ぐことができ、違和感がなくなる。また、第２指挿入穴５ａと第４挿入穴５ｂに指を通すことで、隣り合う指の根元どうしが直接触れることがなくなり、湿気や汗が指の間に溜まることがなく、水虫菌の繁殖を抑えることができる。
【図面の簡単な説明】
【００２６】
【図１】本発明の汗取り紙の表面を示す平面図である。
【図２】本発明の汗取り紙を装着した状態を足裏から見た図である。
【符号の説明】
【００２７】
１：汗取り紙
２：基部
３：長い穴
４：分岐部
５ａ：第２指挿入穴
５ｂ：第４指挿入穴
６ａ：第２指挿入部
６ｂ：第４指挿入部
７：凸辺
８：カット部
９：スリット
１０：スリット
１１：突起
【図１】
2005287682.tif 000003
【図２】
2005287682.tif 000004